(57)【要約】【課題】メニューの中から所望の項目を容易に検索できるようにする。【解決手段】  嗜好学習部１０３は、ユーザがメニュー内の各項目を選択した頻度である使用頻度により示されるユーザの嗜好を学習する。効果音設定部１１１は、メニュー内の項目が指示されたとき、または、項目の指示が解除されたとき、その項目のメニュー内の位置に基づいて、効果音の音色、音階、および効果を設定し、その項目に対するユーザの嗜好に基づいて、効果音の強さを設定する。効果音出力制御部１１２は、設定された音色、音階、効果、および、強さの効果音をスピーカから出力させる。本発明は、DTV（Digital Television）に適用することができる。【選択図】図６
2007087104.tif 000002
【特許請求の範囲】
【請求項１】
複数の項目により構成されるメニューの表示に伴う効果音の出力を制御する音声出力制御装置において、
前記項目に対するユーザの嗜好を学習する学習手段と、
前記ユーザの嗜好に基づいて、前記メニュー内の前記項目の指示に対応する前記効果音の出力を制御する効果音出力制御手段と
を含む音声出力制御装置。
【請求項２】
前記学習手段は、前記メニューの中から前記項目が選択された頻度により示される前記ユーザの嗜好を学習する
請求項１に記載の音声出力制御装置。
【請求項３】
前記効果音出力制御手段は、前記ユーザが嗜好する前記項目が指示されたことを強調するように、前記効果音の種類もしくは強さ、または、前記効果音に施す効果を変更する
請求項１に記載の音声出力制御装置。
【請求項４】
前記効果音出力制御手段は、さらに、指示された前記項目の前記メニュー内の位置に基づいて、前記効果音を変更する
請求項１に記載の音声出力制御装置。
【請求項５】
前記効果音出力制御手段は、前記項目が指示されたとき、または、前記項目の指示が解除されときに前記効果音を出力するように制御する
請求項１に記載の音声出力制御装置。
【請求項６】
前記効果音出力制御手段は、前記項目が指示されたときと、前記項目の指示が解除されときとで異なる前記効果音を出力するように制御する
請求項５に記載の音声出力制御装置。
【請求項７】
前記効果音出力制御手段は、前記メニューが複数の階層からなる場合、表示されている前記メニューの階層に基づいて、前記効果音を変更する
請求項１に記載の音声出力制御装置。
【請求項８】
複数の項目により構成されるメニューの表示に伴う効果音の出力を制御する音声出力制御方法において、
前記項目に対するユーザの嗜好を学習し、
前記ユーザの嗜好に基づいて、前記メニュー内の前記項目の指示に対応する前記効果音の出力を制御する
ステップを含む音声出力制御方法。
【請求項９】
複数の項目により構成されるメニューの表示に伴う効果音の出力を制御する音声出力制御処理であって、
前記項目に対するユーザの嗜好を学習する学習ステップと、
前記ユーザの嗜好に基づいて、前記メニュー内の前記項目の指示に対応する前記効果音の出力を制御する効果音出力制御ステップと
を含む音声出力制御処理をコンピュータに実行させるプログラム。
【請求項１０】
請求項９に記載のプログラムが記録されている記録媒体。
【発明の詳細な説明】
【技術分野】
【０００１】
本発明は、音声出力制御装置および方法、記録媒体、並びに、プログラムに関し、特に、メニューの中から所望の項目を容易に検索できるようにする音声出力制御装置および方法、記録媒体、並びに、プログラムに関する。
【背景技術】
【０００２】
従来、メニュー内の項目を所定の間隔で順番に読み上げていき、所定の操作を行うことにより、現在読み上げられている項目を選択することができるユーザ・インタフェースにおいて、項目を読み上げる前に、項目ごとに異なる音色および音階の音声を出力することが提案されている（例えば、特許文献１参照）。項目ごとに異なる音色および音階の音声を出力することにより、現在選択対象となっている項目を直感的に知ることができる。
【０００３】
【特許文献１】特開２００４−２１５２５５号公報
【発明の開示】
【発明が解決しようとする課題】
【０００４】
ところで、近年、各種の電子機器（例えば、テレビジョン装置）においては、コンテンツ、機能、設定項目などの増加により、メニュー内の項目が増加するのに伴い、より迅速に所望の項目に到達できるように、メニューをスクロールする速度が高速化される傾向にある。しかしながら、メニューのスクロール速度が高速化されると、所望の項目を見逃してしまったり、表示されているメニューの位置が分からなくなってしまう可能性が高くなる。
【０００５】
また、特許文献１に記載の発明は、全ての項目において同様に音声が出力されるため、メニューが高速にスクロールされた場合、項目ごとの音声が非常に短い間隔で連続して出力されてしまうため、結局、どの項目が選択対象となっているのかが分からなくなり、所望の項目を見逃してしまう場合がある。
【０００６】
本発明は、このような状況に鑑みてなされたものであり、メニューの中から所望の項目を容易に検索できるようにするものである。
【課題を解決するための手段】
【０００７】
本発明の一側面の音声出力制御装置は、複数の項目により構成されるメニューの表示に伴う効果音の出力を制御する音声出力制御装置であって、前記項目に対するユーザの嗜好を学習する学習手段と、前記ユーザの嗜好に基づいて、前記メニュー内の前記項目の指示に対応する前記効果音の出力を制御する効果音出力制御手段とを含む。
【０００８】
前記学習手段には、前記メニューの中から前記項目が選択された頻度により示される前記ユーザの嗜好を学習させることができる。
【０００９】
前記効果音出力制御手段には、前記ユーザが嗜好する前記項目が指示されたことを強調するように、前記効果音の種類もしくは強さ、または、前記効果音に施す効果を変更させることができる。
【００１０】
前記効果音出力制御手段には、さらに、指示された前記項目の前記メニュー内の位置に基づいて、前記効果音を変更させるようにすることができる。
【００１１】
前記効果音出力制御手段には、前記項目が指示されたとき、または、前記項目の指示が解除されときに前記効果音を出力するように制御させるようにすることができる。
【００１２】
前記効果音出力制御手段には、前記項目が指示されたときと、前記項目の指示が解除されときとで異なる前記効果音を出力するように制御させるようにすることができる。
【００１３】
前記効果音出力制御手段には、前記メニューが複数の階層からなる場合、表示されている前記メニューの階層に基づいて、前記効果音を変更させるようにすることができる。
【００１４】
本発明の一側面の音声出力制御装置またはプログラムは、複数の項目により構成されるメニューの表示に伴う効果音の出力を制御する音声出力制御方法、または、複数の項目により構成されるメニューの表示に伴う効果音の出力を制御する音声出力制御処理をコンピュータに実行させるプログラムであって、前記項目に対するユーザの嗜好を学習し、前記ユーザの嗜好に基づいて、前記メニュー内の前記項目の指示に対応する前記効果音の出力を制御するステップを含む。
【００１５】
本発明の一側面においては、複数の項目により構成されるメニューの前記項目に対するユーザの嗜好が学習され、前記ユーザの嗜好に基づいて、前記メニュー内の前記項目の指示に対応する前記効果音の出力が制御される。
【発明の効果】
【００１６】
以上のように、本発明の一側面によれば、メニュー内の項目を指示したときに、指示した項目に対するユーザの嗜好に応じた効果音を出力することができる。また、本発明の一側面によれば、メニューの中から所望の項目を容易に検索することができる。
【発明を実施するための最良の形態】
【００１７】
以下に本発明の実施の形態を説明するが、本発明の構成要件と、明細書または図面に記載の実施の形態との対応関係を例示すると、次のようになる。この記載は、本発明をサポートする実施の形態が、発明の詳細な説明に記載されていることを確認するためのものである。従って、発明の詳細な説明中には記載されているが、本発明の構成要件に対応する実施の形態として、ここには記載されていない実施の形態があったとしても、そのことは、その実施の形態が、その構成要件に対応するものではないことを意味するものではない。逆に、実施の形態が構成要件に対応するものとしてここに記載されていたとしても、そのことは、その実施の形態が、その構成要件以外の構成要件には対応しないものであることを意味するものでもない。
【００１８】
本発明の一側面の音声出力制御装置（例えば、図１の制御部１１）は、複数の項目により構成されるメニューの表示に伴う効果音の出力を制御する音声出力制御装置であって、前記項目に対するユーザの嗜好を学習する学習手段（例えば、図６の嗜好学習部１０３）と、前記ユーザの嗜好に基づいて、前記メニュー内の前記項目の指示に対応する前記効果音の出力を制御する効果音出力制御手段（例えば、図６の効果音処理部１０２）とを含む。
【００１９】
本発明の一側面の音声出力制御方法またはプログラムは、複数の項目により構成されるメニューの表示に伴う効果音の出力を制御する音声出力制御方法、または、複数の項目により構成されるメニューの表示に伴う効果音の出力を制御する音声出力制御処理をコンピュータに実行させるプログラムであって、前記項目に対するユーザの嗜好を学習する学習ステップ（例えば、図１０のステップＳ１０）と、前記ユーザの嗜好に基づいて、前記メニュー内の前記項目の指示に対応する前記効果音の出力を制御する効果音出力制御ステップ（例えば、図１０のステップＳ７）とを含む。
【００２０】
以下、本発明の実施の形態について図を参照して説明する。
【００２１】
図１は、本発明の一実施形態に係るDTV（Digital Television）１の構成例を示すブロック図である。
【００２２】
DTV１は、CPU(Central Processing Unit)，ROM(Read Only Memory)，RAM(Random Access Memory)などにより構成される制御部１１に対して、各処理部がバス１２を介して接続されることによって構成される。
【００２３】
地上アナログ放送受信部１３は、制御部１１による制御に従って地上アナログテレビジョン放送信号を受信し、復調して得られた画像信号（映像信号）と音声信号をインタフェース１４を介してバス１２に出力する。制御部１１から地上アナログ放送受信部１３に対しては、リモートコントローラ３１が操作されることによってユーザにより選択されたチャンネルを受信することの指示が行われる。他の放送受信部に対しても同様に、ユーザによる操作に応じた指示が制御部１１から行われる。
【００２４】
地上ディジタル放送受信部１５は、ディジタルテレビジョン放送、データ放送に対応しており、制御部１１による制御に従って地上ディジタル放送を受信する。地上ディジタル放送受信部１５は、放送信号をデコードすることによって得られた番組の画像信号と音声信号、EPG(Electronic Program Guide)データ等を、インタフェース１６を介してバス１２に出力する。
【００２５】
BS(Broadcasting Satellite)放送受信部１７は、BSテレビジョン放送、BS音声放送（ラジオ放送）、およびデータ放送に対応しており、制御部１１による制御に従ってBSディジタル放送を受信する。BS放送受信部１７は、放送信号をデコードすることによって得られた番組の画像信号と音声信号、EPGデータ等を、インタフェース１８を介してバス１２に出力する。
【００２６】
CS(Communications Satellite)放送受信部１９は、CSテレビジョン放送、CS音声放送、およびデータ放送に対応しており、制御部１１による制御に従ってCSディジタル放送を受信する。CS放送受信部１９は、放送信号をデコードすることによって得られた番組の画像信号と音声信号、EPGデータ等を、インタフェース２０を介してバス１２に出力する。
【００２７】
表示画像生成出力部２１は、制御部１１による制御に従って各種の画像をディスプレイ２２に表示させる。例えば、表示画像生成出力部２１は、バス１２を介して地上アナログ放送受信部１３、地上ディジタル放送受信部１５、BS放送受信部１７、CS放送受信部１９から供給された画像データに基づいて番組の画像をディスプレイ２２に表示させる。番組の音声は、表示画像生成出力部２１による番組の画像の表示タイミングにあわせて、制御部１１などによりスピーカ２４から出力される。
【００２８】
また、表示画像生成出力部２１は、OSD(On Screen Display)機能を有しており、制御部１１による制御に従って、ユーザがDTV１を用いて各種の操作を行うためのGUI(Graphical User Interface)であるメニュー画面をディスプレイ２２に表示させる。メニュー画面に並べられる文字や記号などのアイコンのデータは、メモリ３２の表示用データ記憶部４１に記憶されている。
【００２９】
さらに、表示画像生成出力部２１は、メニュー画面に対する操作がユーザにより行われたことが制御部１１から通知されたとき、それに応じてメニュー画面の表示を切り替える。
【００３０】
ディスプレイ２２はLCD(Liquid Crystal Display)などより構成され、バス１２、ディスプレイインタフェース２３を介して行われる表示画像生成出力部２１による制御に従って、番組の画像、メニュー画面などを表示する。ディスプレイ２２に表示されるメニュー画面については後に詳述する。
【００３１】
スピーカ２４は、制御部１１などによる制御に従って、地上アナログ放送受信部１３、地上ディジタル放送受信部１５、BS放送受信部１７、CS放送受信部１９からバス１２、音声出力インタフェース２５を介して供給された音声データに対応する音声を出力する。
【００３２】
また、スピーカ２４は、制御部１１などによる制御に従って、音声用データ記憶部４３からバス１２、音声出力インタフェース２５を介して供給された音声データに対応する、メニュー画面の表示に伴う効果音を出力する。
【００３３】
メモリカードドライブ２６は、DTV１の筐体に形成されたスロットに挿入されたメモリカード２７からのデータの読み出し、メモリカード２７に対するデータの書き込みを行う。メモリカード２７からは、例えば、ディジタルカメラなどにより撮影された静止画のデータなどが読み出され、バス１２を介して表示画像生成出力部２１に出力される。表示画像生成出力部２１においては、メモリカード２７から読み出されたデータに基づいて静止画の表示が行われる。
【００３４】
外部入出力インタフェース２８は、DTV１の筐体に形成された映像入出力端子、音声入出力端子、USB(Universal Serial Bus)端子、IEEE(Institute of Electrical and Electronics Engineers)1394端子、HDMI(High-Definition Multimedia Interface)端子などの外部入出力端子２８−１乃至２８−ｎに各種のケーブルを介して接続された機器との間でデータ（信号）の送受信を行う。
【００３５】
例えば、外部入出力インタフェース２８は、USBケーブルを介してディジタルカメラやオーディオプレーヤがDTV１に接続されている場合、ディジタルカメラにより撮影された静止画のデータやオーディオプレーヤに記憶されているオーディオデータを取り込む。また、外部入出力インタフェース２８は、IEEE1394ケーブルを介してハードディスクレコーダ（HDR(Hard Disk Recorder)）がDTV１に接続されている場合、地上ディジタル放送受信部１５により得られたディジタル放送の番組データ（画像信号、音声信号）をIEEE1394ケーブルを介してHDRに出力して記憶させたり、HDRに記憶されている番組データをIEEE1394ケーブルを介して取得し、取得したデータを表示画像生成出力部２１に出力して番組の画像を表示させたりする。
【００３６】
通信インタフェース２９は、ネットワークを介して、各種の機器との間でデータの送受信を行う。例えば、通信インタフェース２９は、ネットワーク対応の録画再生機器が、ネットワークを介してDTV１と接続されている場合、地上ディジタル放送受信部１５により得られたディジタル放送の番組データをその録画再生機器に送信して記憶させたり、録画再生機器からネットワークを介して供給された番組データを表示画像生成出力部２１に出力して番組の画像を表示させたりする。
【００３７】
受光部３０は、リモートコントローラ３１からの赤外線を受光し、復調して得られたユーザ操作に対応する信号をバス１２を介して制御部１１に出力する。リモートコントローラ３１には、十字キー、決定キーの他、例えば、メニュー画面を表示するときに操作されるホームキーなども設けられる。
【００３８】
メモリ３２はフラッシュメモリなどよりなり、そこには、表示用データ記憶部４１、EPGデータ記憶部４２、音声用データ記憶部４３、および、嗜好情報記憶部４４が形成される。
【００３９】
表示用データ記憶部４１には、メニュー画面を表示するためのアイコンのデータなどが記憶される。
【００４０】
EPGデータ記憶部４２には、地上アナログ放送受信部１３、地上ディジタル放送受信部１５、BS放送受信部１７、CS放送受信部１９により取得されたEPGデータが記憶される。EPGデータには、各番組の放送局名（チャンネル名）、タイトル、放送開始時刻、放送終了時刻、出演者、番組のジャンルなどの情報が含まれ、番組表の表示に用いられる。なお、所定のサーバからダウンロードすることによって通信インタフェース２９により取得されたEPGデータがEPGデータ記憶部４２に記憶され、番組表の表示に用いられるようにしてもよい。
【００４１】
音声用データ記憶部４３には、メニュー画面の表示に伴い出力される効果音を設定するためのデータである効果音設定データ、各効果音に対応する音声データなどが記憶される。なお、効果音設定データの詳細は、図８を参照して後述する。
【００４２】
嗜好情報記憶部４４には、メニュー画面内の項目に対するユーザの嗜好を表す嗜好情報が記憶される。なお、嗜好情報の詳細については後述する。
【００４３】
ここで、以上のような構成を有するDTV１により表示されるメニュー画面について説明する。
【００４４】
図２は、ディスプレイ２２に表示されるメニュー画面の例を示す図である。
【００４５】
図２に示されるようなメニュー画面が、例えば、リモートコントローラ３１に設けられるホームキーがユーザにより押されたときに表示される。この画面から、ユーザは、放送波の選択や、選択した放送波で放送される番組の選択の他、DTV１に用意される各種の機能の選択操作を行うことができる。なお、図２に示す点線は説明の便宜上付したものであり、メニュー画面に実際に表示されるものではない。
【００４６】
メニュー画面は、複数のカテゴリアイコンが一列に並ぶカテゴリアイコン配列R1と、カテゴリアイコン配列R1の中から選択されたカテゴリに属する項目を表す項目アイコンが一列に並ぶ項目アイコン配列R2が、画面中央を基準として若干左上の位置で交差することによって構成される。
【００４７】
図２に示されるように、例えば、カテゴリアイコン配列R1はディスプレイ２２の水平方向（横方向）に表示され、項目アイコン配列R2は、カテゴリアイコン配列R1の配列方向と直交する方向である垂直方向（縦方向）に表示される。これらの配列を構成するアイコンのデータが図１の表示用データ記憶部４１に記憶されている。
【００４８】
カテゴリアイコン配列R1は、例えば、９種類のカテゴリを表すアイコンが配列して構成される。それぞれのカテゴリの詳細については後述するが、図２の例においては、９種類のカテゴリのうち、「フォト」のカテゴリを表すフォトアイコン５１、「ミュージック」のカテゴリを表すミュージックアイコン５２、「ビデオ」のカテゴリを表すビデオアイコン５３、「地上波放送」のカテゴリを表す地上波放送アイコン５４、「BS放送」のカテゴリを表すBS放送アイコン５５、「CS放送」のカテゴリを表すCS放送アイコン５６、「外部入力」のカテゴリを表す外部入力アイコン５７が表示されている。
【００４９】
ユーザがリモートコントローラ３１を操作して表示範囲を切り替えることによって、適宜、「設定」のカテゴリを表す設定アイコン、「ネットワーク」のカテゴリを表すネットワークアイコンも表示される。
【００５０】
図２の例においては、水平方向に配列して表示されるカテゴリアイコンの中からビデオアイコン５３が選択されており、この選択中のビデオアイコン５３が、他のカテゴリアイコンよりも若干大きく表示されている。ビデオアイコン５３の下には、ビデオカテゴリが選択されていることを表す「ビデオ」の文字が表示されている。
【００５１】
また、図２の例においては、ユーザにより選択されているビデオカテゴリに属する項目を表すアイコンとして、項目アイコン６１乃至６３が表示されている。カテゴリに属する項目の数はカテゴリ毎に異なり、例えば、図２に示されるように、メニュー画面には、そのうちの所定の数の項目を表すアイコンが表示される。
【００５２】
項目アイコン６１は、録画予約を設定するときに選択される項目を表すアイコンであり、項目アイコン６２は、予約内容を確認するときに選択される項目を表すアイコンである。また、項目アイコン６３は、IEEE1394ケーブルを介してDTV１に接続されているHDRを表すアイコンである。項目アイコン６３を選択することによって、ユーザは、HDRに記憶されている録画済みの番組を再生させたりすることができる。
【００５３】
図２の例においては、項目アイコン６１乃至６３のうちの項目アイコン６１が、カーソル７１により囲まれ、カーソル７１内のほぼ中央に配置された状態、すなわち、項目アイコン６１が指示された状態で表示されている。項目アイコン６１の右隣には、それを選択することによって録画予約の設定を行うことができることを表す「録画予約」の文字が表示されている。
【００５４】
このようなメニュー画面において、ユーザは、基本的に、リモートコントローラ３１に設けられる十字キーの横方向の操作（左右のボタン）でカテゴリを選択することができ、縦方向の操作（上下のボタン）で、選択しているカテゴリに属する項目を指示することができる。
【００５５】
ユーザによる横方向の操作に応じて、カテゴリアイコン配列R1を構成するカテゴリアイコン全体がまとめて移動して表示される。また、ユーザによる縦方向の操作に応じて、項目アイコン配列R2を構成する項目アイコン全体がまとめて移動して表示される。
【００５６】
例えば、「ビデオ」を選択している図２の状態で、ユーザが左ボタンを１回だけ押したとき、カテゴリアイコン配列R1を構成するカテゴリアイコン全体が右方向に移動し、いまビデオアイコン５３が表示されている位置にミュージックアイコン５２が表示され、ミュージックアイコン５２が表示されている位置にフォトアイコン５１が表示される。フォトアイコン５１が表示されている位置には、カテゴリアイコン配列R1上でフォトアイコン５１の左隣に配列される、例えば、「設定」を表す設定アイコンが表示される。
【００５７】
同様に、地上波放送アイコン５４が表示されている位置にビデオアイコン５３が表示され、BS放送アイコン５５が表示されている位置に地上波放送アイコン５４が表示され、CS放送アイコン５６が表示されている位置にBS放送アイコン５５が表示される。外部入力アイコン５７が表示されている位置にはCS放送アイコン５６が表示され、図２において右端に表示されている外部入力アイコン５７は表示されなくなる。
【００５８】
これにより、「ビデオ」に替えて「ミュージック」が選択された状態になり、「ミュージック」に属する項目を表す項目アイコンが項目アイコン配列R2として縦方向に並べて表示される。
【００５９】
一方、図２の状態でユーザが右ボタンを１回だけ押したとき、左ボタンを押したときと反対に、カテゴリアイコン配列R1を構成するカテゴリアイコン全体が左方向に移動し、「地上波放送」が選択された状態になる。また、「地上波放送」のカテゴリに属する項目を表す項目アイコンが項目アイコン配列R2として縦方向に並べて表示される。
【００６０】
また、図２の状態でユーザが下ボタンを１回だけ押したとき、項目アイコン配列R2を構成する項目アイコン全体が上方向に移動し、項目アイコン６１は、ビデオアイコン５３の上に表示され、いま項目アイコン６１が表示されている位置には項目アイコン６２が表示される。このとき、カーソル７１の隣には、項目アイコン６２が予約内容の確認を行うときに選択されるものであることを表す「予約確認」の文字が表示される。
【００６１】
また、項目アイコン６２が表示されている位置には項目アイコン６３が表示され、項目アイコン６３が表示されている位置には、項目アイコン配列R2を構成する項目アイコンとして項目アイコン６３の下に配列される項目アイコンが新たに表示される。
【００６２】
一方、図２の状態でユーザが上ボタンを１回だけ押したとき、項目アイコン配列R2を構成する項目アイコンとして、項目アイコン６１の上に並べられる項目アイコンはないから、例えば、その操作は無効の操作とされる（表示は切り替えられない）。
【００６３】
また、ユーザは、リモートコントローラ３１に設けられる十字キーの上下左右のいずれかのボタンを押し続けることにより（長押しすることにより）、メニュー画面を連続して高速にスクロール（以下、高速スクロールとも称する）させることができる。例えば、十字キーの左または右のボタンを長押しすることにより、カテゴリアイコン配列R1を構成するカテゴリアイコン全体が左または右方向に連続して高速に移動する。また、例えば、十字キーの上または下のボタンを長押しすることにより、項目アイコン配列R2を構成する項目アイコン全体が上または下方向に連続して高速に移動する。
【００６４】
さらに、図１０などを参照して後述するように、メニュー画面内に表示されているカテゴリアイコンまたは項目アイコンの移動に伴い、スピーカ２４から効果音が出力される。
【００６５】
図３は、メニュー画面の他の表示例を示す図である。
【００６６】
ビデオカテゴリに属する項目の１つである「録画予約」が指示された図２の状態でリモートコントローラ３１に設けられる決定キーが押され、「録画予約」が選択されたとき、図２の画面は図３の画面に切り替えられ、切り替え後の画面には、「録画予約」の下位の階層の項目として定義される項目を表すアイコンが縦方向に並べて表示される。それぞれのアイコンの隣には、それぞれの項目を説明する文字も表示される。
【００６７】
図３の例においては、地上波ディジタル放送によって放送される番組の録画の時間帯を指定する項目、BSディジタル放送によって放送される番組の録画の時間帯を指定する項目、CSディジタル放送（CS１）によって放送される番組の録画の時間帯を指定する項目、CSディジタル放送（CS２）によって放送される番組の録画の時間帯を指定する項目に関するアイコンと文字が表示されている。
【００６８】
この縦方向に並べて表示されている項目の中から所定の項目を選択することによって、ユーザは、それぞれの放送波で放送される番組の録画時間帯を指定することができる。例えば、カーソル７１は下位の階層の項目のうちの最上段に表示される地上波ディジタル放送の項目を指示した状態で表示され、ユーザは、上下方向の操作で指示する（選択対象とする）項目を切り替えることができ、また、決定キーを押すことによってカーソル７１により指示されている項目を選択することができる。
【００６９】
なお、図３の例においては、カテゴリアイコン配列R1を構成するカテゴリアイコンは、選択されているビデオアイコン５３のみを残して画面から消え、項目アイコン配列R2の表示位置は画面の左端に移動し、空いたスペースに下位の階層の項目を表すアイコンと文字が表示されるようになされている。
【００７０】
図４は、メニュー画面のさらに他の表示例を示す図である。
【００７１】
カテゴリアイコン配列R1の中からビデオカテゴリが選択された図２の状態で十字キーの右ボタンが１回だけ押されたとき、図４に示されるように、「地上波放送」が選択された状態になり、「地上波放送」に属する項目を表す項目アイコンが縦方向に並べて表示される。
【００７２】
図４の例においては、地上波放送アイコン５４を挟んで上方に項目アイコン８１および８２が表示され、下方にチャンネルアイコン８３乃至８６が表示されている。
【００７３】
項目アイコン８１は、地上アナログ放送で放送される番組の番組表を表示させるときに選択される項目を表すアイコンであり、項目アイコン８２は、地上ディジタル放送で放送される番組の番組表を表示させるときに選択される項目を表すアイコンである。チャンネルアイコン８３乃至８６は、それにより表される数字のとおり、それぞれ、１チャンネル、３チャンネル、４チャンネル、５チャンネルを表すアイコンである。
【００７４】
ユーザは、十字キーの上下のボタンを押すことによってカーソル７１により指示される項目を切り替えることができ、所定の項目が指示された状態で決定キーを押すことによって、そのとき指示されている項目に応じて、番組表を表示させたり、選択したチャンネルで放送されている番組を視聴したりすることができる。
【００７５】
図４の例においては、１チャンネルが指示されており、カーソル７１の左隣には、指示されているチャンネルの属するグループを表す「地上アナログテレビ」の文字が表示されている。「地上波放送」には、「地上アナログテレビ」のグループ（図１の地上アナログ放送受信部１３により受信される番組のグループ）と、「地上ディジタルテレビ」のグループ（図１の地上ディジタル放送受信部１５により受信される番組のグループ）があり、「地上ディジタルテレビ」のグループに属するチャンネルが指示されているときには、それを表す文字が表示される。
【００７６】
また、カーソル７１の右隣には、指示されている１チャンネルで放送される番組のタイトルである「映画『××○○□××』」、放送チャンネルの名称である「MHK総合」、および、放送時間帯（放送開始時刻と放送終了時刻）である「午前１０：００−１２：００」が２行に渡って表示されている。これらの情報は、EPGデータ記憶部４２に記憶されているEPGデータに基づいて表示されるものである。他のチャンネルが指示されたときも同様に、チャンネルを表すアイコンの右隣には番組のタイトルなどが表示される。なお、図４のメニュー画面において、カテゴリアイコン配列R1の右端には、「ネットワーク」を表すネットワークアイコン５８が表示されている。
【００７７】
図５は、カテゴリと項目の配列を定義する定義マップの例を示す図である。
【００７８】
斜線を付して示すように、カテゴリは、左から、「設定」、「フォト」、「ミュージック」、「ビデオ」、「地上波放送」、「BS放送」、「CS放送」、「外部入力」、および「ネットワーク」の順に配列される。
【００７９】
「設定」は、各種の設定に関するカテゴリである。「設定」には、上から、デモ画面を表示させるときに選択される「デモモード」、問い合わせ先を表示させるときに選択される「お問い合わせ」、メーカからの連絡事項を表示させるときに選択される「お知らせ」、DTV１により選択されたおすすめ番組を表示させるときに、そのおすすめ番組を選択する基準となるキーワードを登録したりするときに選択される「キーワード・ヒット設定」の項目が用意される。
【００８０】
また、「設定」には、画質の設定を行うときに選択される「画質」、音質の設定を行うときに選択される「音質」、画面モードの設定を行うときに選択される「画面モード」、表示の設定を行うときに選択される「表示設定」、受信する放送に関する設定を行うときに選択される「放送設定」、予約に関する設定を行うときに選択される「予約の設定」、DTV１に接続される外部機器の設定を行うときに選択される「外部入出力の設定」、音声の入出力の設定を行うときに選択される「音声入出力設定」の項目が用意される。
【００８１】
さらに、「設定」には、静止画の表示に関する設定を行うときに選択される「フォトの設定」、メモリカード２７に関する設定を行うときに選択される「メモリカードの設定」、IEEE1394ケーブルを介して接続される機器の設定を行うときに選択される「IEEE1394機器の設定」、ネットワークを介して接続される機器に関する設定を行うときに選択される「ネットワーク機器の設定」、DTV１の電力モードの設定を行うときに選択される「消費電力の設定」、通信機能に関する設定を行うときに選択される「通信設定」、その他の設定を行うときに選択される「各種設定その他」、DTV１の製造番号などの情報を表示させるときに選択される「機器情報」、および、設定に関するウイザードを表示させるときに選択される「かんたん設定」の項目が用意される。
【００８２】
「フォト」は、静止画の表示に関するカテゴリである。「フォト」には、上から、ネットワークを介してDTV１と接続されるDLNA(Digital Living Network Alliance)対応のディジタルカメラから静止画を取り込み、それをディスプレイ２２に表示させるときに選択される「DLNA機器」、メモリカード２７から、またはUSBケーブルを介して接続されるディジタルカメラから静止画を取り込み、それをディスプレイ２２に表示させるときに選択される「メモリカード／USB」の項目が用意される。
【００８３】
「ミュージック」は、音楽に関するカテゴリである。「ミュージック」には、上から、ネットワークを介してDTV１と接続されるDLNA対応のオーディオプレーヤから音楽を取り込み、それをスピーカ２４から出力させるときに選択される「DLNA機器」、メモリカード２７から、またはUSBケーブルを介して接続されるオーディオプレーヤから音楽を取り込み、それをスピーカ２４から出力させるときに選択される「メモリカード／USB」の項目が用意される。
【００８４】
「ビデオ」は、番組の録画に関するカテゴリである。「ビデオ」には、上から、録画予約の設定を行うときに選択される「予約録画」、予約内容の確認を行うときに選択される「予約確認」の項目が用意される。
【００８５】
また、「ビデオ」には、IEEE1394ケーブルを介して接続される録画再生機器に番組を録画させたり、録画済みの番組を録画再生機器から再生させるときに選択される「IEEE1394機器」、ネットワークを介してDTV１と接続されるDLNA対応の録画再生機器に番組を録画させたり、録画済みの番組を録画再生機器から再生させるときに選択される「DLNA機器」、メモリカード２７に記憶されている動画を再生させたり、USBケーブルを介して接続される機器に記憶されている動画を再生させたりするときに選択される「メモリカード／USB」の項目が用意される。
【００８６】
「地上波放送」は、地上アナログ放送、地上ディジタル放送に関するカテゴリである。「地上波放送」には、上から、データ放送の番組表を表示させるときに選択される「地上波Ｄ Data EPG」、地上ディジタル放送で放送される番組の番組表を表示させるときに選択される「地Ｄ TV EPG」、地上アナログ放送で放送される番組の番組表を表示させるときに選択される「地Ａ EPG」の項目が用意される。
【００８７】
また、「地上波放送」には、地上アナログ放送のチャンネルを選択し、番組を視聴するときに選択される「地Ａ Ch」（チャンネルアイコン）、地上ディジタル放送のチャンネルを選択し、番組を視聴するときに選択される「地Ｄ TV Ch」（チャンネルアイコン）、データ放送のチャンネルを選択し、番組を視聴するときに選択される「地Ｄ Data Ch」（チャンネルアイコン）の項目が用意される。
【００８８】
「BS放送」は、BSディジタル放送に関するカテゴリである。「BS放送」には、上から、データ放送の番組表を表示させるときに選択される「Data EPG」、ラジオ放送で放送される番組の番組表を表示させるときに選択される「Radio EPG」、BSディジタル放送で放送される番組の番組表を表示させるときに選択される「TV EPG」の項目が用意される。
【００８９】
また、「BS放送」には、BS放送のチャンネルを選択し、番組を視聴するときに選択される「TV Ch」（チャンネルアイコン）、ラジオ放送のチャンネルを選択し、ラジオを聴くときに選択される「Radio Ch」（チャンネルアイコン）、データ放送のチャンネルを選択し、番組を視聴するときに選択される「Data Ch」（チャンネルアイコン）の項目が用意される。
【００９０】
「CS放送」は、CSディジタル放送に関するカテゴリである。「CS放送」には、上から、CS１とCS２のそれぞれについて、データ放送の番組表を表示させるときに選択される「Data EPG」、ラジオ放送で放送される番組の番組表を表示させるときに選択される「Radio EPG」、CSディジタル放送で放送される番組の番組表を表示させるときに選択される「TV EPG」の項目が用意される。
【００９１】
また、「CS放送」には、CS放送のチャンネルを選択し、番組を視聴するときに選択される「TV Ch」（チャンネルアイコン）、ラジオ放送のチャンネルを選択し、ラジオを聴くときに選択される「Radio Ch」（チャンネルアイコン）、データ放送のチャンネルを選択し、番組を視聴するときに選択される「Data Ch」（チャンネルアイコン）の項目が用意される。
【００９２】
「外部入力」は、DTV１に対する外部機器からの入力信号の切り替えに関するカテゴリである。「外部入力」には、上から、LINE１乃至３の端子に接続される機器の出力を選択するときに選択される「LINE１」乃至「LINE３」、コンポジット１および２の端子に接続される機器の出力を選択するときに選択される「Compo１」および「Compo２」、HDMI１および２の端子に接続される機器の出力を選択するときに選択される「HDMI１」および「HDMI２」、PC(Personal Computer)からの出力を選択するときに選択される「PC」の項目が用意される。
【００９３】
「ネットワーク」は、ネットワークに接続して行う各種の処理に関するカテゴリである。「ネットワーク」には、例えば、ブラウザを起動し、そこにWeb画面を表示させるときに選択される「インターネットブラウザ」の項目が用意される。
【００９４】
それぞれの項目には、適宜、下位の階層の項目が用意され、上位の階層の項目が選択されたとき、それより下位の階層の項目が表示される。
【００９５】
図６は、図１の制御部１１が所定のプログラムを実行することにより実現されるメニュー画面表示機能の構成の例を示す図である。制御部１１がプログラムを実行することによりメニュー表示制御部１０１、効果音処理部１０２、および、嗜好学習部１０３を含むメニュー画面表示機能が実現される。
【００９６】
メニュー表示制御部１０１は、受光部３０から供給される、リモートコントローラ３１を用いたユーザ操作に対応する信号に基づいて、表示画像生成出力部２１を制御して、図２乃至図５を参照して上述したメニュー画面をディスプレイ２２に表示させる。
【００９７】
また、メニュー画面のスクロールに伴い、カーソル７１により新たに項目アイコンが指示される場合、メニュー表示制御部１０１は、カーソル７１により指示される項目アイコンにより表される項目、その項目のメニュー上の位置、および、その項目アイコンが指示されることを示す情報を効果音設定部１１１に供給する。さらに、メニュー画面のスクロールに伴い、カーソル７１により指示されていた項目アイコンの指示が解除される場合、メニュー表示制御部１０１は、指示が解除される項目アイコンにより表される項目、その項目のメニュー上の位置、および、その項目アイコンの指示が解除されることを示す情報を効果音設定部１１１に供給する。
【００９８】
なお、項目アイコンの指示が解除されるとは、例えば、図７に示されるように、他の項目アイコン６２を指示するために、カーソル７１により指示されていた項目アイコン６１から、その指示が外れることをいう。
【００９９】
また、各項目のメニュー上の位置は、例えば、各項目を表す項目アイコンを表示順に二次元に配列した場合の横方向（Ｘ軸方向）および縦方向（Ｙ軸方向）の位置、および、その項目を含むメニューの階層方向（Ｚ軸方向）の位置により示される。
【０１００】
さらに、メニュー表示制御部１０１は、メニューの中からユーザにより選択された項目アイコンにより表される項目を示す情報を嗜好学習部１０３に供給する。
【０１０１】
効果音処理部１０２は、ユーザの嗜好に基づいて、メニュー内の項目の指示に対応する効果音のスピーカ２４からの出力を制御する。効果音処理部１０２は、効果音設定部１１１および効果音出力制御部１１２を含むように構成される。
【０１０２】
効果音設定部１１１は、音声用データ記憶部４３に記憶されている効果音設定データ、および、嗜好情報記憶部４４に記憶されている嗜好情報に基づいて、カーソル７１によるメニュー画面内の項目アイコンの指示に対応して、スピーカ２４から出力させる効果音の種類および強さを設定する。
【０１０３】
図８は、効果音設定データのデータ構造の例を示す表である。なお、表内のＸ軸方向は、メニュー内の各項目を表す項目アイコンを表示順に二次元に配列した場合の横方向を示し、Ｙ軸方向は、メニュー内の各項目を表す項目アイコンを表示順に二次元に配列した場合の縦方向を示し、Ｚ軸方向は、メニューの階層方向を示す。例えば、上述した図５の定義マップにより定義されるメニューにおいて、いちばん左のカテゴリ「設定」から右方向に、１，２，３・・・の順にＸ軸方向の座標（X座標）が割り振られる。また、各カテゴリにおいて、いちばん上の項目から下方向に、１，２，３・・・の順にY軸方向の座標（Y座標）が割り振られる。また、図５の定義マップにより定義されるメニューを最上位の階層として、階層が下位に向かう方向に、１、２，３・・・の順にＺ軸方向の座標（Ｚ座標）が割り振られる。従って、例えば、図５の「デモモード」の座標は（Ｘ，Ｙ，Ｚ）＝（１，１，１）となり、「予約確認」の座標は（Ｘ，Ｙ，Ｚ）＝（４，２，１）となる。
【０１０４】
効果音設定データは、各項目（を表す項目アイコン）に対応する効果音を、各項目の位置（座標）に基づいて定義したデータである。具体的には、各Ｘ座標に対して、それぞれ異なる音色が定義され、各Ｙ座標に対して、それぞれ異なる音階が定義され、各Ｚ座標に対して、それぞれ異なる効果（エフェクト）が定義されている。従って、カーソル７１により指示される項目アイコンが、Ｘ軸方向（横方向）に移動することにより、効果音の音色が変化し、Ｙ軸方向（縦方向）に移動することにより、効果音の音階が変化する。また、メニューの階層が移動することにより、効果音に施される効果（エフェクト）が変化する。
【０１０５】
また、効果音の音色には、フォーカス音と通過音の２種類がある。フォーカス音は、項目アイコンがカーソル７１により指示されたときに、項目（項目アイコン）が指示されたことを通知するための効果音である。また、通過音は、カーソル７１による指示が解除されたときに、項目（項目アイコン）の指示が解除されたこと、すなわち、その項目（項目アイコン）を通過しようとしていることを通知するための効果音である。
【０１０６】
例えば、図２に示されるように、項目アイコン６１が指示されたとき、項目アイコン６１（より厳密には、項目アイコン６１により表される項目の座標）に対応するフォーカス音が出力され、図７に示されるように、項目アイコン６１の指示が解除されたとき、項目アイコン６１（より厳密には、項目アイコン６１により表される項目の座標）に対応する通過音が出力される。
【０１０７】
嗜好情報は、具体的には、メニュー内の各項目をユーザが選択した頻度である使用頻度により示される。各項目の使用頻度は、例えば、ユーザがメニュー画面から項目を選択した履歴のうち、直前の所定の回数（例えば、１００回）分の履歴において、各項目を選択した回数により示される。
【０１０８】
効果音設定部１１１は、各項目のメニュー上の位置、および、効果音設定データに基づいて、効果音の種類（音色および音階）、および、効果音に施す効果を設定する。また、効果音設定部１１１は、図９に示されるように、各項目の使用頻度に基づいて、効果音の強さ（音圧レベル）を設定する。図９に示される例の場合、使用頻度が０乃至４回の項目に対する効果音の強さは０dBに設定され、使用頻度が５乃至９回の項目に対する効果音の強さは３dBに設定され、使用頻度が５０回以上の項目に対する効果音の強さは３０dBに設定される。すなわち、使用頻度が高い項目ほど（ユーザが好んで使用する項目）ほど、強い効果音が出力される。
【０１０９】
効果音設定部１１１は、設定した効果音の音色、音階、効果、および、強さを示す情報を効果音出力制御部１１２に供給する。
【０１１０】
効果音出力制御部１１２は、音声出力インタフェース２５を制御して、効果音設定部１１１により設定された音色および音階の音声データを音声用データ記憶部４３から読み出させる。効果音出力制御部１１２は、音声出力インタフェース２５を制御して、音声データに基づく効果音に設定された効果を施させ、さらに、効果を施した効果音を、設定された強さでスピーカ２４から出力させる。
【０１１１】
嗜好学習部１０３は、ユーザによりメニュー内の各項目が選択された頻度（使用頻度）を算出することにより、ユーザの各項目に対する嗜好を学習する。嗜好学習部１０３は、算出した使用頻度により示される嗜好情報を、バス１２を介して、嗜好情報記憶部４４に記憶させる。
【０１１２】
次に、図１０のフローチャートを参照して、DTV１により実行されるメニュー画面表示制御処理を説明する。なお、この処理は、例えば、ユーザがリモートコントローラ３１を用いてメニュー画面を表示させる操作を行ったとき開始される。
【０１１３】
ステップＳ１において、メニュー表示制御部１０１は、メニュー画面を表示させる。具体的には、受光部３０は、ユーザによるメニュー画面の表示の操作に対応する信号を、バス１２を介してメニュー表示制御部１０１に供給する。メニュー表示制御部１０１は、表示画像生成出力部２１を制御して、例えば、図２に示されるメニュー画面をディスプレイ２２に表示させる。
【０１１４】
ステップＳ２において、メニュー表示制御部１０１は、メニュー画面に対する操作が行われたか否かを判定する。メニュー表示制御部１０１は、メニュー画面に対する操作が行われたと判定するまで、ステップＳ２の判定処理を繰り返し実行し、ユーザがリモートコントローラ３１を用いてメニュー画面に対する操作を行い、受光部３０からメニュー画面に対する操作に対応する信号が供給された場合、メニュー画面に対する操作が行われたと判定し、処理はステップＳ３に進む。
【０１１５】
ステップＳ３において、メニュー表示制御部１０１は、受光部３０からの信号に基づいて、メニュー画面のスクロールが指示されか否かを判定する。メニュー画面のスクロールが指示されたと判定された場合、処理はステップＳ４に進む。
【０１１６】
ステップＳ４において、メニュー表示制御部１０１は、メニュー画面をスクロールさせる位置を求める。具体的には、メニュー表示制御部１０１は、受光部３０からの信号に基づいて、メニュー画面をスクロールさせる位置、すなわち、カテゴリアイコンおよび項目アイコンを移動させる位置を求める。
【０１１７】
メニュー画面のスクロールに伴い、カーソル７１により新たに項目アイコンが指示される場合、メニュー表示制御部１０１は、カーソル７１により指示される項目アイコンにより表される項目、その項目のメニュー上の位置、および、その項目アイコンが指示されることを示す情報を効果音設定部１１１に供給する。また、メニュー画面のスクロールに伴い、カーソル７１により指示されていた項目アイコンの指示が解除される場合、指示が解除される項目アイコンにより表される項目、その項目のメニュー上の位置、および、その項目アイコンの指示が解除されることを示す情報を効果音設定部１１１に供給する。
【０１１８】
ステップＳ５において、効果音設定部１１１は、効果音の種類および強さを設定する。具体的には、カーソル７１により新たに項目アイコンが指示される場合、効果音設定部１１１は、音声用データ記憶部４３に記憶されている効果音設定データに基づいて、その項目アイコンにより表される項目のメニュー上の位置に対応する効果音（フォーカス音）の音色、音階、および、効果を設定する。また、効果音設定部１１１は、嗜好情報記憶部４４に記憶されている嗜好情報に基づいて、その項目の使用頻度に対応する効果音の強さを設定する。
【０１１９】
また、カーソル７１により指示されていた項目アイコンの指示が解除される場合、効果音設定部１１１は、効果音設定データに基づいて、その項目アイコンにより表される項目のメニュー上の位置に対応する効果音（通過音）の音色、音階、および、効果を設定する。また、効果音設定部１１１は、嗜好情報記憶部４４に記憶されている嗜好情報に基づいて、その項目の使用頻度に対応する効果音の強さを設定する。
【０１２０】
効果音設定部１１１は、設定した効果音の音色、音階、効果、および、強さを示す情報を効果音出力制御部１１２に供給する。
【０１２１】
ステップＳ６において、メニュー表示制御部１０１は、メニュー画面をスクロールさせる。具体的には、メニュー表示制御部１０１は、表示画像生成出力部２１を制御して、ステップＳ４において求めた位置にカテゴリアイコンおよび項目アイコンを移動させたメニュー画面をディスプレイ２２に表示させる。
【０１２２】
ステップＳ７において、効果音出力制御部１１２は、効果音を出力させる。具体的には、効果音出力制御部１１２は、音声出力インタフェース２５を制御して、効果音設定部１１１により設定された音色および音階の音声データを音声用データ記憶部４３から読み出させる。効果音出力制御部１１２は、音声出力インタフェース２５を制御して、音声データに基づく効果音に効果音設定部１１１により設定された効果を施させ、さらに、効果を施した効果音を、効果音設定部１１１により設定された強さで、スピーカ２４から所定の時間出力させる。
【０１２３】
なお、効果音の出力中に別の効果音の出力条件が成立した場合（例えば、フォーカス音の出力中に通過音の出力条件が成立した場合、または、通過音の出力中にフォーカス音の出力条件が成立した場合）、所定の優先順位に基づいて、効果音の出力が制御される。例えば、所定の優先順位に基づいて、後からの効果音が優先して出力されたり、通過音（またはフォーカス音）が優先して出力される。
【０１２４】
また、項目アイコンが指示されたとき、または、項目アイコンの指示が解除されたとき以外のとき、ステップＳ７において、効果音の出力処理は行われず、すでに効果音が出力中である場合、その効果音の出力が継続される。
【０１２５】
ステップＳ８において、メニュー表示制御部１０１は、メニュー画面のスクロールが完了したか否かを判定する。メニュー画面のスクロールが完了していないと判定された場合、すなわち、ユーザの操作により指示されたスクロール位置までメニュー画面がスクロールされていない場合、処理はステップＳ４に戻る。その後、ステップＳ８において、メニュー画面のスクロールが完了したと判定されるまで、ステップＳ４乃至Ｓ８の処理が繰り返し実行され、メニュー画面のスクロールが行われる。
【０１２６】
ステップＳ８において、メニュー画面のスクロールが完了したと判定された場合、すなわち、ユーザの操作により指示されたスクロール位置までメニュー画面がスクロールされた場合、処理はステップＳ２に戻り、上述したステップＳ２以降の処理が実行される。
【０１２７】
ステップＳ３において、アイコンの移動が指示されていないと判定された場合、処理はステップＳ９に進む。
【０１２８】
ステップＳ９において、メニュー表示制御部１０１は、メニュー内の項目が選択されたか否かを判定する。具体的には、例えば、ユーザがリモートコントローラ３１の決定キーを押下した場合、メニュー表示制御部１０１は、受光部３０からの信号に基づいて、現在カーソル７１により指示されている項目アイコンにより表される項目が選択されたと判定し、処理はステップＳ１０に進む。
【０１２９】
ステップＳ１０において、嗜好学習部１０３は、学習処理を行う。具体的には、メニュー表示制御部１０１は、ユーザにより選択（使用）された項目を示す情報を嗜好学習部１０３に供給する。嗜好学習部１０３は、今回のユーザによる項目の選択を反映するようにメニュー内の各項目が選択された頻度（使用頻度）を算出する。嗜好学習部１０３は、算出した使用頻度により、嗜好情報記憶部４４に記憶されている嗜好情報を更新する。
【０１３０】
ステップＳ１１において、メニュー表示制御部１０１は、メニューの階層の変更が指示されたか否かを判定する。例えば、ユーザが、リモートコントローラ３１の決定キーを押下することにより、ディスプレイ２２に表示するメニューの階層の変更を指示した場合、メニュー表示制御部１０１は、受光部３０からの信号に基づいて、メニューの階層の変更が指示されたと判定し、処理はステップＳ１に戻る。そして、ステップＳ１において、指示された階層のメニューがディスプレイ２２に表示され、その後、ステップＳ２以降の処理が実行される。
【０１３１】
ステップＳ１１において、メニューの階層が指示されていないと判定された場合、例えば、コンテンツの再生やチャンネルの選択など、メニュー内の項目に対する処理がユーザにより指示された場合、処理はステップＳ１２に進む。
【０１３２】
ステップＳ９において、メニュー内の項目が選択されていないと判定された場合、すなわち、メニュー画面のスクロール、および、メニュー内の項目の選択ではなく、メニュー画面の表示の終了が指示された場合、ステップＳ１０およびＳ１１の処理はスキップされ、処理はステップＳ１２に進む。
【０１３３】
ステップＳ１２において、メニュー表示制御部１０１は、表示画像生成出力部２１を制御して、メニュー画面の表示を終了させ、メニュー画面表示処理は終了する。
【０１３４】
このように、カーソル７１により指示された項目アイコンまたは指示が解除された項目アイコンの位置、および、ユーザの嗜好に基づいて、種類や強さなどが異なる効果音が出力されるので、視覚にそれほど頼らなくても、所望の項目を迅速かつ容易に検索することができる。従って、メニュー画面を高速にスクロールさせた場合でも、所望の項目を確実に検索することができる。
【０１３５】
また、ユーザの嗜好に基づいて、効果音の強さが変わるので、ユーザがよく使用する項目を迅速かつ容易に検索することができる。
【０１３６】
さらに、フォーカス音だけではなく、フォーカス音とは異なる通過音が出力されるので、所望の項目を通過してしまったことにすぐに気づくことができ、所望の項目に迅速にたどり着けるようになる。
【０１３７】
以上のように、複数の項目により構成されるメニューの前記項目に対するユーザの嗜好を学習し、前記ユーザの嗜好に基づいて、前記メニュー内の前記項目の指示に対応する前記効果音の出力を制御する場合には、メニュー内の項目を指示したときに、指示した項目に対するユーザの嗜好に応じた効果音を出力することができる。また、本発明の一側面によれば、メニューの中から所望の項目を容易に検索することができる。
【０１３８】
なお、以上においては、メニュー内の項目の使用頻度をユーザの嗜好として学習する例を示したが、例えば、ユーザが嗜好したり、よく使用する項目やカテゴリなどを示す嗜好情報を、ユーザが直接入力するようにしてもよい。また、使用頻度以外に基づいて、例えば、ユーザが過去に視聴したコンテンツの種類、DTV１に接続されている機器などの情報に基づいて、ユーザの嗜好を学習するようにしてもよい。
【０１３９】
さらに、以上においては、カーソルを固定したままメニュー内の項目を移動させる方式のメニューを例に挙げたが、本発明は、それ以外の方式のメニュー、例えば、カーソルなどメニュー内の項目を指示する表示部品を移動させる方式のメニュー、ドロップダウンメニューなどにも適用することができる。
【０１４０】
また、以上においては、項目アイコンが二次元に配列され、かつ、階層構造になっているメニューを例に挙げたが、本発明は、それ以外の構造を有するメニュー、例えば、項目が１次元に配列されたメニュー、１階層だけのメニューなどにも適用することができる。
【０１４１】
さらに、以上においては、項目を表す項目アイコンを表示するメニューを用いる例を挙げたが、項目名をそのまま表示するメニューを用いるようにしてもよい。
【０１４２】
また、以上においては、ユーザの嗜好に基づいて、効果音の強さを変更する例を示したが、ユーザの嗜好する項目を強調するように、効果音の種類（音色、旋律、音階など）、または、効果音に施す効果を変更するようにしてもよい。
【０１４３】
さらに、以上においては、各項目（項目アイコン）のメニュー内の位置に基づいて、効果音の音色または音階を変更することにより、効果音の種類を変更する例を示したが、それ以外にも、例えば、効果音の旋律、リズムなどを変更するようにしてもよい。
【０１４４】
また、以上においては、各項目（項目アイコン）のメニュー内の位置に基づいて、効果音を変更する例を示したが、例えば、各項目に基づいて、効果音を変更するようにしてもよい。これにより、項目数が増減したり、項目の配置が変わったりするメニューにおいても、各項目に対して常に同じ効果音が出力されるので、ユーザが容易に所望の項目を検索することができるようになる。
【０１４５】
さらに、必要に応じて、フォーカス音または通過音のいずれか一方のみを出力するようにしてもよい。
【０１４６】
また、例えば、メニューの項目数がそれほど多くなく、表示されているメニューの位置が分からなくなる可能性が少ない場合、嗜好情報のみに基づいて、効果音を変更するようにしてもよい。
【０１４７】
なお、本発明は、上述したDTV以外にも、メニューを表示する装置、例えば、パーソナルコンピュータ、PDA（Personal Digital Assistant）、携帯電話機、各種のAV機器などに適用することができる。
【０１４８】
上述した一連の処理は、ハードウエアにより実行させることもできるし、ソフトウエアにより実行させることもできる。一連の処理をソフトウエアにより実行させる場合には、そのソフトウエアを構成するプログラムが、専用のハードウエアに組み込まれているコンピュータ、または、各種のプログラムをインストールすることで、各種の機能を実行することが可能な、例えば汎用のパーソナルコンピュータなどに、プログラム記録媒体からインストールされる。
【０１４９】
図１１は、上述した一連の処理をプログラムにより実行するパーソナルコンピュータの構成の例を示すブロック図である。CPU２０１は、ROM２０２、または記憶部２０８に記憶されているプログラムに従って各種の処理を実行する。RAM２０３には、CPU２０１が実行するプログラムやデータなどが適宜記憶される。これらのCPU２０１、ROM２０２、およびRAM２０３は、バス２０４により相互に接続されている。
【０１５０】
CPU２０１にはまた、バス２０４を介して入出力インタフェース２０５が接続されている。入出力インタフェース２０５には、キーボード、マウス、マイクロホンなどよりなる入力部２０６、ディスプレイ、スピーカなどよりなる出力部２０７が接続されている。CPU２０１は、入力部２０６から入力される指令に対応して各種の処理を実行する。そして、CPU２０１は、処理の結果を出力部２０７に出力する。
【０１５１】
入出力インタフェース２０５に接続されている記憶部２０８は、例えばハードディスクからなり、CPU２０１が実行するプログラムや各種のデータを記憶する。通信部２０９は、インターネットやローカルエリアネットワークなどのネットワークを介して外部の装置と通信する。
【０１５２】
また、通信部２０９を介してプログラムを取得し、記憶部２０８に記憶してもよい。
【０１５３】
入出力インタフェース２０５に接続されているドライブ２１０は、磁気ディスク、光ディスク、光磁気ディスク、或いは半導体メモリなどのリムーバブルメディア２１１が装着されたとき、それらを駆動し、そこに記録されているプログラムやデータなどを取得する。取得されたプログラムやデータは、必要に応じて記憶部２０８に転送され、記憶される。
【０１５４】
コンピュータにインストールされ、コンピュータによって実行可能な状態とされるプログラムを格納するプログラム記録媒体は、図１１に示すように、磁気ディスク（フレキシブルディスクを含む）、光ディスク（CD-ROM(Compact Disc-Read Only Memory)，DVD(Digital Versatile Disc)を含む）、光磁気ディスク、もしくは半導体メモリなどよりなるパッケージメディアであるリムーバブルメディア２１１、または、プログラムが一時的もしくは永続的に格納されるROM２０２や、記憶部２０８を構成するハードディスクなどにより構成される。プログラム記録媒体へのプログラムの格納は、必要に応じてルータ、モデムなどのインタフェースである通信部２０９を介して、ローカルエリアネットワーク、インターネット、ディジタル衛星放送といった、有線または無線の通信媒体を利用して行われる。
【０１５５】
なお、本明細書において、プログラム記録媒体に格納されるプログラムを記述するステップは、記載された順序に沿って時系列的に行われる処理はもちろん、必ずしも時系列的に処理されなくとも、並列的あるいは個別に実行される処理をも含むものである。
【０１５６】
また、本発明の実施の形態は、上述した実施の形態に限定されるものではなく、本発明の要旨を逸脱しない範囲において種々の変更が可能である。
【図面の簡単な説明】
【０１５７】
【図１】本発明の一実施形態に係るDTVの構成例を示すブロック図である。
【図２】メニュー画面の表示例を示す図である。
【図３】メニュー画面の他の表示例を示す図である。
【図４】メニュー画面のさらに他の表示例を示す図である。
【図５】定義マップの例を示す図である。
【図６】図１の制御部により実現される機能の構成の例を示すブロック図である。
【図７】メニュー画面のさらに他の表示例を示す図である。
【図８】効果音設定データの構成の例を示すブロック図である。
【図９】効果音の強さの設定方法を説明するための図である。
【図１０】DTVのメニュー画面表示制御処理について説明するフローチャートである。
【図１１】パーソナルコンピュータの構成例を示すブロック図である。
【符号の説明】
【０１５８】
１  DTV，  １１  制御部，  ２１  表示画像生成出力部，  ２２  ディスプレイ，  ２４  スピーカ，  ４１  表示用データ記憶部，  ４３  音声用データ記憶部，  ４４  嗜好情報記憶部，  ７１  カーソル，  １０１  メニュー表示制御部，  １０２  効果音処理部，  １０３  嗜好学習部，  １１１  効果音設定部，  １１２  効果音出力制御部，  ２０１  CPU，  ２０２  ROM，  ２０３  RAM，  ２０８  記録部，  ２１０  ドライブ，  ２１１  リムーバブルメディア
【図１】
2007087104.tif 000003
【図２】
2007087104.tif 000004
【図３】
2007087104.tif 000005
【図４】
2007087104.tif 000006
【図５】
2007087104.tif 000007
【図６】
2007087104.tif 000008
【図７】
2007087104.tif 000009
【図８】
2007087104.tif 000010
【図９】
2007087104.tif 000011
【図１０】
2007087104.tif 000012
【図１１】
2007087104.tif 000013